(57)【要約】【課題】棚装置に設けたアンテナ装置で物品のＩＣタグを読み取ることで物品を管理するシステムにおいて、ＩＣタグを読み取り不能になることを防止してシステムの信頼性を高める。【手段】棚装置１の内部（例えば背板５）にアンテナ装置７が配置されており、物品８の背面にＩＣタグ８ａが設けられている。棚板３の前端寄り部位には物品８が前向き方向に大きくずれ移動することを阻止するストッパー９が設けられている。振動等によって物品８が前向き移動するような作用を受けても物品８がアンテナ装置７から大きく離れることはないため、アンテナ装置７によるＩＣタグ８ａの読み取り機能が損なわれることはない。特に、物品８がずれ移動しやすい移動棚に好適である。【選択図】図２
2009132511.tif 000002
【特許請求の範囲】
【請求項１】
物品を載せる複数段の棚板と、前記物品に設けた被検知体の情報を検出するアンテナ装置とを備えており、前記各棚板の上面部に、前記被検知体の情報をアンテナ装置で正確に検知できる状態が保持されるように物品のずれ移動を規制するストッパーを設けている、
棚装置。
【請求項２】
前記アンテナ装置は棚の奥部又は棚板の前部下面に配置されている一方、前記ストッパーは棚板の前端寄りの部位に位置していて間口方向に長く延びている、
請求項１に記載した棚装置。
【請求項３】
前記ストッパーは前面と後面とを有する側断面山形になっており、棚板の上面に対する前面の傾斜角度が棚板の上面に対する後面の傾斜角度よりも小さくなっている、
請求項２に記載した棚装置。
【発明の詳細な説明】
【技術分野】
【０００１】
本願発明は、物品に設けたタグ等の被検知体の情報を検出するアンテナ装置（センサ装置又はリーダー装置と呼んでも良い）が備えられている棚装置に関するものである。
【背景技術】
【０００２】
棚装置に格納にした多数の物品を管理するため、各物品にＩＣタグ等の被検知体を設ける一方、棚装置には前記タグを検知するためのアンテナ装置を設けることが行われている。検知システムとしては、赤外線を使用したものやＩＣタグを使用した電磁式のものなど様々のものがある。一例として特許文献１には、格段の棚の奥部に非接触式のアンテナ装置を配置して、このアンテナ装置で物品に設けたタグの情報を読み取るシステムが開示されている。
【特許文献１】特開２００３−７２９１９号公報
【発明の開示】
【発明が解決しようとする課題】
【０００３】
アンテナ装置は指向性があると共に検知距離に限度があることが通常であり、このため被検知体がアンテナ装置からある程度離れていると被検知体の情報を読み取りできなくなってしまう。他方、物品を棚に戻すのは人手で行われるが、全ての人が正確な位置に戻すとは限らず、錯誤等によってアンテナ装置で読み取りできない位置に置いてしまう場合もある。例えば、アンテナ装置を棚の奥部に設けている場合、物品を棚の手前側に寄せ過ぎて読み取り不能又は読み取り不完全になってしまう虞がある。
【０００４】
或いは、正確な位置に戻しても地震等の振動によって棚の開口部側にずれてしまうことがある。更に、移動棚では移動停止に伴う衝撃によって物品が前後方向（奥行き方向）にずれ動くことがある。特に、並列に並べられていてその並び方向に移動する方式の移動棚の場合、移動棚はその奥行き方向に移動するため、停止した衝撃によって物品が開口部に向けてずれ動く現象が生じやすく、衝撃が大き過ぎると物品が開口部からはみ出したり脱落したりする。
【０００５】
このように物品の戻し方が悪かったり正確に戻しても後からずれ動いたりすると、アンテナ装置によって被検知体の情報を読み取ることができずに検索管理システムを有効に活用できなくなるという問題がある。
【０００６】
本願発明は、かかる問題を解消することを課題として成されたものである。
【課題を解決するための手段】
【０００７】
前記課題を解決するため請求項１の発明に係る棚装置は、物品を載せる複数段の棚板と、前記物品に設けた被検知体の情報を検出するアンテナ装置とを備えており、前記各棚板の上面部に、前記被検知体の情報をアンテナ装置で正確に検知できる状態が保持されるように物品のずれ移動を規制するストッパーを設けている。
【０００８】
請求項２の発明では、請求項１において、前記アンテナ装置は棚の奥部又は棚板の前部下面に配置されている一方、前記ストッパーは棚板の前端寄りの部位に位置していて間口方向に長く延びている。
【０００９】
請求項３の発明は、請求項２において、前記ストッパーは前面と後面とを有する側断面山形になっており、棚板の上面に対する前面の傾斜角度が棚板の上面に対する後面の傾斜角度よりも小さくなっている。
【発明の効果】
【００１０】
本願発明によると、棚板の上に載せた物品がストッパーによって位置決めされるため、例えば地震等の振動によって物品にずれ動き作用が働いたり、移動棚に適用した場合に停止に伴う慣性力で物品にずれ動き作用が働いたりしても、物品は被検知体の情報をアンテナ装置で正確に検出できる位置に保持される。従って、物品の被検知体をアンテナ装置で検出する機能が確保されて物品の管理システムの品質向上に貢献できる。
【００１１】
また、人が物品を棚板に載せるに際してストッパーが物品の正確な載置位置を人に知らしめる指標手段として機能するため、人が物品を不適切な位置に載置することを防止又は著しく抑制できるのであり、この面からも物品の管理システムの信頼性向上に貢献できる。
【００１２】
アンテナ装置は、一般には棚の奥部に配置したり、棚板の前部下面に配置されていることが多い。アンテナ装置を棚の奥部に配置する場合は被検知体は物品の背面部や後部側面に設けることが普通であり、また、アンテナ装置を棚板の前部下面に設ける場合は、被検知体は物品の前面や上面に設けることが普通である。そして、いずれにしても、物品が棚の開口部の側に寄り過ぎるとアンテナ装置で被検知体を検出できなくなり易い。この点、請求項２のように構成すると物品は所定の奥行き位置に保持されるため、アンテナ装置による検出機能が確保される。従って、請求項２の構成は特に現実性が高いと言える。また、請求項２の構成では、振動等によって物品が棚からずり落ちることも防止できる利点がある。
【００１３】
人が物品を棚に収納したり取り出したりするに際しては、物品を棚板の上面でずらし移動させることが多い。この点、請求項３のように構成すると、ストッパーが側面視で断面山形であるため、載せるに際しても取り出すに際しても物品は棚板の上面を滑り移動させつつストッパーを乗り越えさせることができ、このため物品の出し入れをスムースに行える。
【００１４】
また、請求項２ではストッパーの前面の傾斜が後面の傾斜よりも小さいため、物品の収納をよりスムースに行うことができると共に、物品の前向き移動を阻止するストッパー機能がより確実になる。従って、ストッパーの形態として請求項３はより好適であると言える。なお、棚板は着脱自在であるので、本願発明は既設の棚装置にも適用できる利点がある。
【発明を実施するための最良の形態】
【００１５】
次に、本願発明の実施形態を図面に基づいて説明する。図１〜図２は第１実施形態を示しており、図２以下では他の実施形態を示している。以下、順次説明する。
【００１６】
(1).第１実施形態
第１実施形態は移動棚に適用している。図１（Ａ）は全体の斜視図、（Ｂ）は部分的な破断斜視図、図２は図１（Ｂ）の II-II視断面図である。本実施形態は移動式の棚装置１に適用しており、図１に（Ａ）に示すように、多数の移動式の棚装置１が並列配置されて移動式収納設備が構成されている。なお、以下の説明で前後・左右の文言を使用しているが、これは、棚装置１の開口方向に向いた姿勢を基準にしている。
【００１７】
各棚装置１はスチール製であって片面を開口した本体２とその内部に多段に配置された棚板３とを有しており、下部にはレール４を転動する車輪（図示せず）を有しており、奥行き方向（棚装置１の並び方向）に移動させることができる。なお、棚装置１の移動方式は手動式でも良いし電動式でもよい。
【００１８】
棚装置１は片面開口式であり、本体２は背板５を有する片面開口方式になっている。本体２は背板５の他に左右側板と天板と地板とを有している（地板は最下段の棚板である）。敢えて述べるまでもないが、棚装置１は、四隅に立設したフレームで棚板を支持しているラック方式などの様々の態様が有り得る。また、棚装置１は両面開口式とすることも可能である（この場合は奥行き方向の中間部に仕切り体がある。）。
【００１９】
棚装置１の内部は各棚板３の上方箇所か単位収納部６になっており、背板５の前面には単位収納部６ごとにアンテナ装置（リーダー）７が設けられている。棚板３の前後両端部には補強のための折り曲げ部３ａを形成している。他方、棚装置１に収納される物品（例えば書類用ファイル）８の裏面部には、被検知体の一例としてのＩＣタグ８ａが貼り付けや埋設等の適宜手段で脱落不能に設けられている。
【００２０】
ＩＣタグ８ａはアンテナ装置７から発射された微弱な電波（エネルギー）によって回路に電流を発生させ、この電流でメモリーや送信アンテナを駆動することで情報をアンテナ装置７に無線送信するものであり、アンテナ装置７とＩＣタグ８ａとの距離が遠くなると、エネルギーと情報との送受信が不完全になる。そこで、図１（Ｂ）及び図２に示すように、各棚板３の前端寄り部位に、物品８がアンテナ装置７に近接した位置から前方向に殆どずれ移動しないように保持するストッパー９を一体に曲げ形成している。
【００２１】
ストッパー９は、前面９ａと後面９ｂとを有する側断面視で山形（三角形）に形成されているが、図２に明示するように、前面９ａと後面９ｂとは共に棚板３の上面に対して９０度以下の角度で傾斜しており、かつ、前面９ａの傾斜角度θ１が後面の傾斜角度θ２よりも小さくなっている。θ１は４５°よりも小さくてθ２は４５°より大きくなっている。
【００２２】
以上の構成において、物品８はアンテナ装置７から離れることがストッパー９によって規制されているため、アンテナ装置７によるＩＣタグ８ａの情報収集が不完全になることはなく、このため物品８の管理システムは高い信頼性を確保できる。また、物品８の出し入れはストッパー９を越えて容易に行える。そして、本実施形態のようにストッパー９の前面の傾斜角度を後面よりも小さくすると、棚板３の上面を滑らせながら物品８を単位収納６に押し込むことをスムースに行え、しかも物品８のずれ防止機能（飛び出し防止機能）も確保できる。
【００２３】
(2).他の実施形態
図３では第２実施形態を示している。（Ａ）は側断面図、（Ｂ）は（Ａ）のＢ−Ｂ視断面図である。この第２実施形態はストッパー９を棚板３とは別体に構成した例であり、ストッパー９の下面に左右適宜間隔で複数の爪１１を下向きに突設している一方、棚板３には、前記爪１１が弾性変形によって挿脱し得る左右複数対ずつの係合穴１２が前後方向に沿って複数列形成されている。本実施形態ではストッパー９の前後位置を調節できるので、奥行き寸法が異なる複数種類の物品８に対応できる利点がある。
【００２４】
図４に示すのは第３実施形態である。この実施形態も第３実施形態と同様にストッパー９を前後位置調節可能とした例であり、第２実施形態との相違点は棚板３への固定手段として摘み付きビス１３を使用した点である。棚板３に前後長手の長穴を左右に複数形成して、この長穴を介してビス１３をストッパー９にねじ込むことも可能である、この場合はストッパー９の前後位置を無段階に調節できる。
【００２５】
図５では第４実施形態を示している。この実施形態では、アンテナ装置７は棚板３の前端部下面に設けている（最上段の単位収納部６に対応したアンテナ装置７は天板の前部下面に設けることになる。）。他方、ＩＣタグ８ａは物品８の前面に設けている。そして、棚板３の前端部には物品８の前向き移動を阻止する前ストッパー９を一体に設け、棚板３の後端寄り部位にはリアストッパー１４を前後位置調節可能に設けている。リアストッパー１４は抜け止め用の爪１５を設けている。
【００２６】
アンテナ装置７を棚板３（及び天板）の下面に設ける場合、ＩＣタグ８ａは物品８の上面に設けることも可能である。また、アンテナ装置７を棚板３の下面部に設けて、ＩＣタグ８ａを物品８の下面部に設けることも可能である（この場合は、電波は棚板３を介してアンテナ装置７とＩＣタグ８ａとに送受信される。）。  
【００２７】
(3).その他
本願発明は上記の実施形態の他にも様々に具体化できる。例えば棚装置は引き戸式や水平回動式等の扉を備えていても良い。また、アンテナ装置と被検知体とで情報をやりとりするシステムも実施形態に限定されるものではなく、例えば、被検知体としてバーコードやＱＲコードのような二次元コードを使用し、アンテナ装置として赤外線式スキャナやＣＤカメラ式リーダーを使用するといったことも可能である。棚装置が定置式でもよいことやスチール製に限らないことは言うまでもない。
【図面の簡単な説明】
【００２８】
【図１】第１実施形態を示す図であり、（Ａ）は全体の斜視図、（Ｂ）は部分的な破断斜視図である。
【図２】図１（Ｂ）の II-II視断面図である。
【図３】第２実施形態を示す図である。
【図４】第３実施形態を示す図である。
【図５】第４実施形態を示す図である。
【符号の説明】
【００２９】
１  棚装置
２  本体
３  棚板
５  背板
６  単位収納部
７  ＩＣタグ用のアンテナ装置
８  物品
８ａ  ＩＣタグ
９  ストッパー
９ａ  前面
９ｂ  後面
【図１】
2009132511.tif 000003
【図２】
2009132511.tif 000004
【図３】
2009132511.tif 000005
【図４】
2009132511.tif 000006
【図５】
2009132511.tif 000007